(57)【要約】【課題】噴霧特性の変更を簡単に設定することが可能な二流体噴霧システムを得る。【解決手段】二流体ノズル１により得られる霧を対象に噴霧する二流体噴霧システムにおいて、前記二流体ノズルに供給される液体の流量及び圧力の少なくとも一つと、前記二流体ノズルに供給される気体の流量及び圧力の少なくとも一つを含む二流体ノズルのノズル特性を予め測定し、この測定したノズル特性を入力装置によりメモリに保存し、前記メモリに保存されたノズル特性から、前記液体の噴霧流量の異なる少なくとも２つの点を選択し、前記メモリから読み出されたノズル特性の情報から噴霧流量に応じた前記気体及び液体の圧力若しくは前記噴霧流量の演算式を求め、この求めた演算式から気体及び液体の圧力を若しくは流量を、前記調整装置の指令値として出力できる制御装置を備えた二流体噴霧システム。【選択図】図１
2017176975.tif 000002
【特許請求の範囲】
【請求項１】
気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムにおいて、
前記二流体ノズルに供給される液体の流量及び圧力の少なくとも一つと、前記二流体ノズルに供給される気体の流量及び圧力の少なくとも一つを含む二流体ノズルのノズル特性を複数の条件で予め測定し、この測定したノズル特性を入力装置によりメモリに保存し、前記メモリに保存された任意の特性の一つを選択し、前記選択されたノズル特性から、前記二流体ノズルに与える気体の圧力若しくは流量及び液体の圧力若しくは流量の目標値に定め、この目標値を前記調整装置の制御目標値に変更する制御装置を備えた二流体噴霧システム。
【請求項２】
気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムにおいて、
前記二流体ノズルに供給される液体の流量及び圧力の少なくとも一つと、前記二流体ノズルに供給される気体の流量及び圧力の少なくとも一つを含む二流体ノズルのノズル特性を複数の条件で予め測定し、この測定したノズル特性を入力装置によりメモリに保存し、前記メモリに保存されたノズル特性から、前記液体の噴霧流量の異なる少なくとも２種類の条件を選択し、前記メモリから読み出されたノズル特性の情報から噴霧流量に応じた前記気体及び液体の圧力若しくは前記噴霧流量の演算式を求め、この求めた演算式から気体及び液体の圧力若しくは流量を、前記調整装置の指令値として出力できる制御装置を備えた二流体噴霧システム。
【請求項３】
気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムにおいて、
前記二流体ノズルに供給される液体の流量及び圧力の少なくとも一つと、前記二流体ノズルに供給される気体の流量及び圧力の少なくとも一つに加え、前記液体の流量若しくは圧力と、前記二流体ノズルに供給される気体の流量及び圧力の中で制御に用いない値と、前記霧の平均粒径と、前記霧の蒸発距離と、前記霧の蒸発時間の中から少なくとも一つを含む二流体ノズルのノズル特性を複数の条件で予め測定し、この測定したノズル特性を入力装置によりメモリに保存し、前記メモリに保存された任意の複数のノズル特性から少なくとも一つを選択し、前記選択されたノズル特性から、前記二流体ノズルに与える気体の圧力若しくは流量及び液体の圧力若しくは流量の目標値を定めるものであって、前記ノズル特性を選択する際に、選択したノズル特性の評価要素として、前記液体の流量若しくは圧力と、前記二流体ノズルに供給される気体の流量若しくは圧力のうち、制御に用いない値と、前記霧の平均粒径と、前記霧の蒸発距離と、前記霧の蒸発時間の中から少なくとも一つを表示し、選択した霧の特性情報を、表示する機能を備えた二流体噴霧システム。
【請求項４】
前記制御装置は前記二流体ノズルの個数を設定可能であって、この設定に基づきシステム全体の噴霧量を算出可能にしたことを特徴とする請求項１〜３のいずれか一項記載の二流体噴霧システム。
【請求項５】
前記制御装置は前記システム全体の噴霧量を基に想定噴霧量を演算し、前記想定噴霧量から前記二流体ノズル若しくはシステム全体の健全性を判定できるようにしたことを特徴とする請求項１〜３のいずれか一項記載の二流体噴霧システム。
【請求項６】
前記制御装置は前記演算した想定噴霧量に基づき、前記二流体ノズルに供給する液体を貯めるタンク内に配設され、液体の下限液位を測定するセンサが固着して、前記液体を噴霧していない状態になっていないことを判定する機能を具備したことを特徴とする請求項１〜３のいずれか一項記載の二流体噴霧システム。
【請求項７】
気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムに使用されるものであって、
前記二流体ノズルに供給される液体の流量及び圧力の少なくとも一つと、前記二流体ノズルに供給される気体の流量及び圧力の少なくとも一つを含む二流体ノズルのノズル特性を複数の条件で予め測定し、この測定したノズル特性を入力装置によりメモリに保存し、前記メモリに保存された任意の特性の一つを選択し、前記選択されたノズル特性から、前記二流体ノズルに与える気体の圧力若しくは流量及び液体の圧力若しくは流量の目標値に定め、この目標値を前記調整装置の制御目標値として出力する二流体噴霧システム用制御装置。
【請求項８】
気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムに使用されるものであって、
前記二流体ノズルに供給される液体の流量及び圧力の少なくとも一つと、前記二流体ノズルに供給される気体の流量及び圧力の少なくとも一つを含む二流体ノズルのノズル特性を複数の条件で予め測定し、この測定したノズル特性を入力装置によりメモリに保存し、前記メモリに保存されたノズル特性から、前記液体の噴霧流量の異なる少なくとも２種類の条件を選択し、前記メモリから読み出されたノズル特性の情報から噴霧流量に応じた前記気体及び液体の圧力若しくは前記噴霧流量の演算式を求め、この求めた演算式から気体及び液体の圧力を若しくは流量を、前記調整装置の指令値として出力する二流体噴霧システム用制御装置。
【請求項９】
気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システム使用されるものであって、
前記二流体ノズルに供給される液体の流量及び圧力の少なくとも一つと、前記二流体ノズルに供給される気体の流量及び圧力の少なくとも一つに加え、前記液体の流量若しくは圧力と、前記二流体ノズルに供給される気体の流量及び圧力の中で制御に用いない値と、前記霧の平均粒径と、前記霧の蒸発距離と、前記霧の蒸発時間の中から少なくとも一つを含む二流体ノズルのノズル特性を複数の条件で予め測定し、この測定したノズル特性を入力装置によりメモリに保存し、前記メモリに保存された任意の複数のノズル特性から少なくとも一つを選択し、前記選択されたノズル特性から、前記二流体ノズルに与える気体の圧力若しくは流量及び液体の圧力若しくは流量の目標値を定めるものであって、前記ノズル特性を選択する際に、選択したノズル特性の評価要素として、前記液体の流量若しくは圧力と、前記二流体ノズルに供給される気体の流量若しくは圧力のうち、制御に用いない値と、前記霧の平均粒径と、前記霧の蒸発距離と、前記霧の蒸発時間の中から少なくとも一つを表示し、選択した霧の特性情報を、表示する機能を備えた二流体噴霧システム用制御装置。
【請求項１０】
前記二流体ノズルの個数を設定可能であって、この設定に基づきシステム全体の噴霧量を算出可能にしたことを特徴とする請求項７〜９のいずれか一項記載の二流体噴霧システム用制御装置。
【請求項１１】
前記システム全体の噴霧量を基に想定噴霧量を演算し、前記想定噴霧量から前記二流体ノズル若しくはシステム全体の健全性を判定できるようにしたことを特徴とする請求項７〜９のいずれか一項記載の二流体噴霧システム用制御装置。
【請求項１２】
前記演算した想定噴霧量に基づき、前記二流体ノズルに供給する液体を貯めるタンク内に配設され、液体の下限液位を測定するセンサが固着して、前記液体を噴霧していない状態になっていないことを判定する機能を具備したことを特徴とする請求項７〜９のいずれか一項記載の二流体噴霧システム用制御装置。
【発明の詳細な説明】
【技術分野】
【０００１】
本発明の実施形態は、二流体噴霧システム、二流体噴霧システム用制御装置に関する。
【背景技術】
【０００２】
従来の二流体噴霧システムとして、空気及び純水を二流体ノズルに供給すると共に、二流体ノズルに供給される空気及び純水の圧力はそれぞれ圧力調整装置から得られる指令値に応じて比例制御可能であって、二流体ノズルにより得られる二流体噴霧粒子を室内空間に供給することにより、室内空間を加湿するようにしたものがある。
【先行技術文献】
【特許文献】
【０００３】
【特許文献１】特開２００７−１３９４０３号公報
【特許文献２】特開２００１−５６１３５号公報
【特許文献３】特開２００３−８０１２５号公報
【特許文献４】特開２００５−４６８３５号公報
【発明の概要】
【発明が解決しようとする課題】
【０００４】
前述した従来の二流体噴霧システムでは、導入時に、導入先の風速、空間の広さ、温湿度、噴霧量等の適用条件に応じて、ノズルの数量、配置方法、噴霧方向、噴霧する霧の液体流量、気液比、粒径等の霧の性質を事前に検討し、予め作成したノズルの特性表を元に、空気圧、水圧を比例制御の出力値に対してどの様に変化させるか、検討の上、関数の乗数を算出して装置に設定する様にしていた。
【０００５】
この従来の二流体噴霧システムでは、実際に計画に基づいて噴霧を行い、霧の性質が粗すぎる、若しくは細かすぎるから変えたい時に、再度ノズルの特性表を元に関数の乗数を計算して設定する必要が有り、時間がかかり実用的ではなかった。
【０００６】
本実施形態は上記のような課題を解決するためになされたものであり、噴霧特性の変更を簡単に設定することが可能な二流体噴霧システム、二流体噴霧システム用制御装置を得ることを目的とする。
【課題を解決するための手段】
【０００７】
実施形態１は、気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムにおいて、
前記二流体ノズルに供給される液体の流量及び圧力の少なくとも一つと、前記二流体ノズルに供給される気体の流量及び圧力の少なくとも一つを含む二流体ノズルのノズル特性を複数の条件で予め測定し、この測定したノズル特性を入力装置によりメモリに保存し、前記メモリに保存された任意の特性の一つを選択し、前記選択されたノズル特性から、前記二流体ノズルに与える気体の圧力若しくは流量及び液体の圧力若しくは流量の目標値に定め、この目標値を前記調整装置の制御目標値に変更する制御装置を備えた二流体噴霧システムである。
【図面の簡単な説明】
【０００８】
【図１】実施形態の二流体噴霧システムの概略構成を説明するための図。
【図２】図１のコントローラの圧力設定画面を拡大して示す図。
【図３】実際に予め測定した結果であるノズル特性表を示す図。
【図４】図３の噴霧流量と噴霧水圧と空気圧のみを示す図。
【図５】図１のコントローラの演算部の機能を説明するためのものであって、噴霧流量と空気圧と噴霧水圧の関係を示す図。
【発明を実施するための形態】
【０００９】
実施形態１は、従来の二流体噴霧システムに以下に述べる制御装置例えばタッチパネル付コントローラ（二流体噴霧システム用制御装置）１０を備えたものである。従来の二流体噴霧システムは、図１に示すように気体例えば圧縮空気３及び流体例えば純水２を二流体ノズル１に供給すると共に、二流体ノズル１に供給される圧縮空気３及び純水２の圧力又は流量はそれぞれ調整装置例えば空気用電空レギュレータ４１と、純水用電空レギュレータ４０から得られる指令値例えば圧力指令値に応じて比例制御可能であって、二流体ノズル１により得られる霧を対象に噴霧するものである。
【００１０】
図１において、二流体ノズル１に図示しない液体供給源からの液体例えば純水２及び図示しない気体供給源からの気体例えば圧縮空気３が供給できるように、二流体ノズル１と各供給源との間に、水供給路５と空気供給路８を接続する配管が配設してある。
【００１１】
空気供給路８と二流体ノズル１の間には空気用電空レギュレータ４１が設けてある。水供給路５と空気供給路８の間に供給タンク３２、圧力タンク３１がそれぞれ配設してある。
【００１２】
空気供給路８と圧力タンク３１との間の配管には水用電空レギュレータ４０が設けてある。電空レギュレータ４０は、圧力タンク３１内の水の圧力を例えば４００ｋＰａにしたり、図示しない水排気系に設けてある排気弁ＥＸＴに開放又は閉路指令を与えるものである。
【００１３】
二流体ノズル１に供給される圧縮空気３及び純水２の圧力は、電空レギュレータ４１と電空レギュレータ４０からの指令値に応じて比例制御されるようになっている。
【００１４】
水供給路５であって供給タンク３２の間に、水供給弁３３と逆止弁３４が設けてあり、水供給路５であって供給タンク３２と圧力タンク３１の間に逆止弁４２が設けてある。空気供給路５と供給タンク３２とを接続する配管に三方弁３９が設けてある。
【００１５】
圧力タンク３１及び供給タンク３２内にはそれぞれ高位液面センサ（Ｈ）７と低位液面センサ（Ｌ）６が設けられており、これらの計測値に基づき、予め供給タンク３２内には純水２が補給されると共に供給タンク３２内に純水２が満タンになると自動的に純水の供給が停止され、さらに圧力タンク３１内の純水が少なくなったとき供給タンク３２内の純水２が自動的に移送されるようになっている。
【００１６】
タッチパネル付コントローラ１０は、二流体ノズル１に供給される純水２の流量及び圧力の少なくとも一つと、二流体ノズル１に供給される圧縮空気３の流量及び圧力の少なくとも一つを含む二流体ノズル１のノズル特性を、複数の条件で予め測定し、この測定したノズル特性を入力装置例えばタッチスィツチにより図示しないメモリに保存し、メモリに保存された任意の特性の一つをタッチスイッチで選択し、選択されたノズル特性から、二流体ノズル１に与える圧縮空気３の圧力若しくは流量及び純水２の圧力若しくは流量の目標値に定め、この目標値を電空レギュレータ４１、４０の制御目標値に変更するものである。
【００１７】
タッチパネル付コントローラ１０は、予め測定した図３に示すようなノズル特性表を記憶する図示しないメモリテーブルと、図示しない演算手段を備え、二流体ノズル１の圧縮空気３の圧力である空気圧（Ｐａ）、純水２の圧力である噴霧水圧（Ｐｗ）と、純水２の噴霧流量（Ｑｗ）、圧縮空気３の空気流量（Ｑａ）或いは予め測定した二流体ノズル１の空気圧（Ｐａ）、噴霧水圧（Ｐｗ）と、噴霧流量（Ｑｗ）に基づき、二流体ノズル１に与える圧縮空気３及び純水２の空気圧（Ｐａ）、噴霧水圧（Ｐｗ）を演算し、演算結果を電空レギュレータ４１、４０の制御目標値に変更させるものである。
【００１８】
図２は図１のコントローラ１１の圧力パターン設定画面を示す図であり、高側噴霧水圧用設定器と、低側噴霧水圧用設定器と、高側噴霧流量用設定器と、低側噴霧流量用設定器とを備えている。
【００１９】
高側噴霧水圧用設定器は現在設定されている高側噴霧水圧Ｐｗ例えば３００を表示する表示部２０と、この表示部２０に表示された値を大きくする上昇ボタン１２と、表示部２０に表示された値を小さくする下降ボタン１３を有している。低側噴霧水圧用設定器も同様に表示部２１と上昇ボタン１６と下降ボタン１７を有している。
【００２０】
高側噴霧流量用設定器は例えば図５に現在設定されている高側噴霧流量Ｑｗ例えば５０を表示する表示部２２と、この表示部２２に表示されている値を大きくする上昇ボタン１４と、表示部２２に表示されている値を小さくする下降ボタン１５を有している。
【００２１】
低側噴霧水圧用設定器も同様に表示部２３と上昇ボタン１８と下降ボタン１９を有している。
【００２２】
低側噴霧流量用設定器と、高側噴霧流量用設定器と、低側噴霧流量用設定器と、特性評価要素例えば現在の霧の平均粒径（ＳＭＤ）を高側及び低側の値をそれぞれ表示する表示部５２、５３と、前の表示に戻るとき使用する戻るボタン２５と、指令値ＭＶを表示する表示部２６と、表示されている値を確定するときに使用する確定ボタン２７と、現在の表示をキャンセルするキャンセルボタン２８とを備えている。
【００２３】
高側噴霧水圧用設定器は、表示部２０と上昇ボタン１２と下降ボタン１３を有している。低側噴霧水圧用設定器は、表示部２１と上昇ボタン１６と下降ボタン１７を有している。高側噴霧流量用設定器は、表示部２２と上昇ボタン１４と下降ボタン１５を有している。低側噴霧水圧用設定器は表示部２３と上昇ボタン１８と下降ボタン１９を有している。
【００２４】
これ以外に実際に備えているもので、図示しない演算手段は、前述のようにメモリに保存されたノズル特性から、図５のように純水２の噴霧流量の異なる少なくとも２つの点を選択し、メモリから読み出されたノズル特性の情報から噴霧流量(Ｑｗ)、噴霧流量に応じた圧縮空気３及び純水２の圧力若しくは噴霧流量の演算式例えば一次式を求め、この求めた演算式から圧縮空気３気体及び純水２の圧力(Ｐａ)、(Ｐｗ)を若しくは噴霧流量(Ｑｗ)を、電空レギュレータ４０、４１の指令値として出力できるようになってぃる。
【００２５】
図５は、横軸に噴霧流量と縦軸に空気圧がとってあり、予め計測された高い値と低い値とを結んだり、例えば横軸に噴霧流量と縦軸に噴霧水圧と空気圧がとってあり、予め計測された高い値と低い値とを結んだりするものである。
【００２６】
以上述べた制御装置を備えているので、電空レギュレータ４０、４１の圧力設定パターンの変更がきわめて簡単であり、従来の二流体噴霧システムのように噴霧すべき対象の条件を変更する度にその都度圧力パターンを検討し、設定するものとははるかに優れている。
【００２７】
本実施形態は噴霧圧力を算出する関数を、予めメモリに保存した図３の様なノズルの特性表から、複数の特性を選ぶことで、算出することで、噴霧特性の変更を簡単に設定することが可能になる。
【００２８】
実施形態３は、前述の制御装置を以下のようにしたものである。すなわち、二流体ノズル１に供給される純水２の流量及び圧力の少なくとも一つと、二流体ノズル１に供給される圧縮空気３の流量及び圧力の少なくとも一つに加え、純水２流量若しくは圧力と、二流体ノズル１に供給される圧縮空気３の流量及び圧力の中で制御に用いない値と、霧の平均粒径と、霧の蒸発距離と、霧の蒸発時間の中から少なくとも一つを含む二流体ノズル１のノズル特性を複数の条件で予め測定し、この測定したノズル特性を図示しない入力装置により図示しないメモリに保存し、メモリに保存された任意の複数のノズル特性から少なくとも一つを選択し、選択されたノズル特性から、二流体ノズル１に与える圧縮空気３の圧力若しくは流量及び純水２の圧力若しくは流量の目標値を定めるものであって、ノズル特性を選択する際に、選択したノズル特性の評価要素として、純水２の流量若しくは圧力と、二流体ノズル１に供給される圧縮空気３の流量若しくは圧力のうち、制御に用いない値と、霧の平均粒径と、霧の蒸発距離と、霧の蒸発時間の中から少なくとも一つを表示し、選択した霧の特性情報を、表示する機能を備えたものである。
【００２９】
実施形態４は、前述の制御装置を次のようにしたものである。すなわち、二流体ノズル１の個数を設定可能であって、この設定に基づきシステム全体の噴霧量を算出可能にしたものである。
【００３０】
実施形態５は前述の制御装置を次のようにしたものである。すなわち、制御装置はシステム全体の噴霧量を基に想定噴霧量を演算し、想定噴霧量から二流体ノズル1若しくはシステム全体の健全性を判定できるようにしたものである。
【００３１】
実施形態６は前述の制御装置を次のようにしたものである。すなわち、制御装置は前記演算した想定噴霧量に基づき、二流体ノズル１に供給する純水２を貯めるタンク例えば圧力タンク３１内に配設され、純水２の下限液位を測定するセンサＬが固着して、純水２を噴霧していない状態になっていないことを判定する機能を具備したものである。
【００３２】
実施形態７は、気体及び流体を二流体ノズルに供給すると共に、前記二流体ノズルに供給される気体及び流体の圧力又は流量はそれぞれ調整装置から得られる指令値に応じて比例制御可能であって、前記二流体ノズルにより得られる霧を対象に噴霧する二流体噴霧システムに使用されるものであって、
前記二流体ノズルに供給される液体の流量及び圧力の少なくとも一つと、前記二流体ノズルに供給される気体の流量及び圧力の少なくとも一つを含む二流体ノズルのノズル特性を複数の条件で予め測定し、この測定したノズル特性を入力装置によりメモリに保存し、前記メモリに保存された任意の特性の一つを選択し、前記選択されたノズル特性から、前記二流体ノズルに与える気体の圧力若しくは流量及び液体の圧力若しくは流量の目標値に定め、この目標値を前記調整装置の制御目標値として出力する二流体噴霧システム用制御装置である。
【００３３】
実施形態８は、実施形態７同様に二流体ノズルにより得られる霧を対象に噴霧する二流体噴霧システムに使用されるものであって、前記二流体ノズルに供給される液体の流量及び圧力の少なくとも一つと、前記二流体ノズルに供給される気体の流量及び圧力の少なくとも一つを含む二流体ノズルのノズル特性を予め測定し、この測定したノズル特性を入力装置によりメモリに保存し、前記メモリに保存されたノズル特性から、前記液体の噴霧流量の異なる少なくとも２種類の条件を選択し、前記メモリから読み出されたノズル特性の情報から噴霧流量に応じた前記気体及び液体の圧力若しくは前記噴霧流量の演算式を求め、この求めた演算式から気体及び液体の圧力を若しくは流量を、前記調整装置の指令値として出力する二流体噴霧システム用制御装置である。
【００３４】
実施形態９は、実施形態７同様に二流体ノズルにより得られる霧を対象に噴霧する二流体噴霧システムに使用されるものであって、前記二流体ノズルに供給される液体の流量及び圧力の少なくとも一つと、前記二流体ノズルに供給される気体の流量及び圧力の少なくとも一つに加え、前記液体の流量若しくは圧力と、前記二流体ノズルに供給される気体の流量及び圧力の中で制御に用いない値と、前記霧の平均粒径と、前記霧の蒸発距離と、前記霧の蒸発時間の中から少なくとも一つを含む二流体ノズルのノズル特性を複数の条件で予め測定し、この測定したノズル特性を入力装置によりメモリに保存し、前記メモリに保存された任意の複数のノズル特性から少なくとも一つを選択し、前記選択されたノズル特性から、前記二流体ノズルに与える気体の圧力若しくは流量及び液体の圧力若しくは流量の目標値を定めるものであって、前記ノズル特性を選択する際に、選択したノズル特性の評価要素として、前記液体の流量若しくは圧力と、前記二流体ノズルに供給される気体の流量若しくは圧力のうち、制御に用いない値と、前記霧の平均粒径と、前記霧の蒸発距離と、前記霧の蒸発時間の中から少なくとも一つを表示し、選択した霧の特性情報を、表示する機能を備えた二流体噴霧システム用制御装置である。
【００３５】
実施形態１０は、前記二流体ノズルの個数を設定可能であって、この設定に基づきシステム全体の噴霧量を算出可能にした二流体噴霧システム用制御装置である。
【００３６】
実施形態１１は、前記システム全体の噴霧量を基に想定噴霧量を演算し、前記想定噴霧量から前記二流体ノズル若しくはシステム全体の健全性を判定できるようにしたことを特徴とする二流体噴霧システム用制御装置である。
【００３７】
実施形態１２は、前記演算した想定噴霧量に基づき、前記二流体ノズルに供給する液体を貯めるタンク内に配設され、液体の下限液位を測定するセンサが固着して、前記液体を噴霧していない状態になっていないことを判定する機能を具備した二流体噴霧システム用制御装置である。
【符号の説明】
【００３８】
１…二流体ノズル、２…純水、３…圧縮空気、５…水流路、６…下限水位計、７…上限水位計、８…空気流路、１０…タッチパネル付コントローラ、１１…タッチパネル、１２、１４、１６、１８…上昇ボタン、１３、１５、１７、１９…下降ボタン、…調節計、２０…設定器、２１…設定器、２２…設定器、２３…設定器、２４…無効ボタン、２５…戻るボタン、２６…表示部、２７…確定ボタン、 ２８…キャンセルボタン、３１…圧力タンク、３２…供給タンク、３３…水供給弁、３４、４２…逆止弁、３９…三方弁、４０…水用電空レギュレータ、４１…空気用電空レギュレータ、５２…表示部、５３…表示部。 
【図１】
2017176975.tif 000003
【図２】
2017176975.tif 000004
【図３】
2017176975.tif 000005
【図４】
2017176975.tif 000006
【図５】
2017176975.tif 000007